(57)【要約】それぞれのイベントを管理するための、複数のアプリケーションを有するコンピュータデバイスにおいて、新しいイベントをプレビューイングする方法および装置が記載される。アプリケーションは、グラフィックユーザインターフェースのスクリーン上においてアプリケーションアイコンによって示される。アプリケーションの１つの新しいイベントに応答して、アプリケーションのアイコンは、新しいイベントを通知するために視覚的に変更される。視覚的な変更は、例えば、イベントの内容をプレビューするために、新しいイベントに応答し決定され得る。この視覚的な変更は、処理されずに残る全ての新しいイベントの総数を含み得る。視覚的に変更されたアイコンの選択の際、追加的なプレビューイングが提供され得る。視覚的に変更されたアイコンを有するアプリケーションのアクティベーションは、新しいイベント時において自動的に開始するように構成され得る。
2007512635.tif 000002
【特許請求の範囲】
【請求項１】
それぞれのイベントを管理するための複数のアプリケーションを有するコンピュータデバイスにおいて、該アプリケーションの各１つが、該デバイスのためのグラフィックユーザインターフェースのスクリーン上にアプリケーションアイコンによって示され、該デバイスにおいて、該スクリーン上の新しいイベントをプレビューイングするための方法が、
該アプリケーションのうちの１つのアプリケーションの新しいイベントに応答して、該新しいイベントを通知するために、該アプリケーションのアイコンの１つを視覚的に変更すること
を包含する、方法。
【請求項２】
前記視覚的に変更されたアイコンに応答して、前記アプリケーションのうちの前記１つを呼び出すことを包含する、請求項１に記載の方法。
【請求項３】
前記新しいイベントの発生を決定するために、前記アプリケーションのうちの前記１つをモニタすることを包含する、請求項１に記載の方法。
【請求項４】
前記新しいイベントに応答して、前記アプリケーションのアイコンのうちの前記１つの視覚的な変更を決定することと、
視覚的な変更をする際において、該視覚的な変更を使用すること
を包含する、請求項１に記載の方法。
【請求項５】
前記視覚的な変更を決定することが、前記アプリケーションのうちの前記１つに対するアプリケーションの新しいイベントの総数を維持することを包含する、請求項４に記載の方法。
【請求項６】
前記アプリケーションのアイコンのうちの前記１つを前記視覚的に変更することが、前記新しいイベントの総数のプレビューを表示することを包含する、請求項１に記載の方法。
【請求項７】
プレビューを表示する行為がユーザアクションに応答する、請求項６に記載の方法。
【請求項８】
内容のプレビューを前記表示することが、前記スクリーンの一部上にダイアログボックスを表示することを包含する、請求項７に記載の方法。
【請求項９】
前記新しいイベントを通知するために視覚的に変更されたアイコンを有する前記アプリケーションのうちの前記１つのアプリケーションのアクティベーションに応答して、該新しいイベントへ該アプリケーションのうちの該１つを介して自動的にナビゲートすることを包含する、請求項１に記載の方法。
【請求項１０】
前記デバイスが、データ通信デバイスおよびボイス通信デバイスのうちの少なくとも１つを備え、前記複数のアプリケーションの少なくとも一部が該デバイスに関する通信性能を管理し、該複数のアプリケーションの該少なくとも一部の前記イベントが通信イベントを備える、請求項１に記載の方法。
【請求項１１】
前記デバイスが無線デバイスを備える、請求項１０に記載の方法。
【請求項１２】
請求項１から１１に記載の方法のうちのいずれか１つの方法に従い動作するように構成される、コンピュータデバイス。
【請求項１３】
メモリに格納され、請求項１から１１に記載の方法のうちのいずれか１つの方法に従う前記方法ステップを動作するために、コントローラによって走るように構成される、コンピュータプログラム。
【請求項１４】
それぞれのイベントを管理するために複数のアプリケーションを格納するメモリに結合されるコントローラを有するコンピュータデバイスにおける、該アプリケーションのグラフィックユーザインターフェース（ＧＵＩ）であって、該ＧＵＩは、
該コンピュータデバイス上に表示するためのメインスクリーンであって、該スクリーンが複数のアイコンを備え、各アイコンが該複数のアプリケーションのうちの１つに関連する、メインスクリーンと、
該アプリケーションの新しいイベントの発生を決定するための、少なくとも１つのモニタ構成要素と、
新しいイベントを通知するための該アイコンのうちの１つに関する、該アプリケーションの該新しいイベントに応答して、該メインスクリーン上における表示のための該アイコンのうちの該１つを変更するための、少なくとも１つのアイコン変更構成要素と
を備える、ＧＵＩ。
【請求項１５】
前記ＧＵＩがそれぞれのアプリケーションの新しいイベントの総数を維持し、前記アイコン変更構成要素が該総数に応答して変更する、請求項１４に記載のＧＵＩ。
【請求項１６】
前記アイコン変更構成要素が前記新しいイベントの内容のプレビューを表示する、請求項１４に記載のＧＵＩ。
【請求項１７】
プレビューの前記表示が、前記アイコンのうちの前記１つとのユーザインターラクションに応答する、請求項１６に記載のＧＵＩ。
【請求項１８】
プレビューの前記表示が、前記スクリーンの一部上にダイアログボックスを表示することを備える、請求項１７に記載のＧＵＩ。
【請求項１９】
前記アイコンのうちの前記１つとのユーザインターラクションに応答して、前記ＧＵＩが、前記新しいイベントを表示するために、該アイコンのうちの該１つに関する前記アプリケーションを呼び出す、請求項１４に記載のＧＵＩ。
【請求項２０】
前記コンピュータデバイスが、無線データ通信デバイスおよび無線ボイス通信デバイスのうちの少なくとも１つを備え、前記複数のアプリケーションの少なくとも一部が該コンピュータデバイスに関する通信性能を管理し、該複数のアプリケーションの該少なくとも一部の前記新しいイベントが通信イベントを備える、請求項１２に記載のＧＵＩ。
【発明の詳細な説明】
【技術分野】
【０００１】
本発明は、一般的に、無線通信デバイスに関し、より詳細には、そのようなデバイスを制御するためのグラフィックユーザインターフェースに関する。
【背景技術】
【０００２】
無線移動体機器にて利用可能な通信サービスの急増に伴ない、多数の異なった機能に対して優れた単一のデバイスの作製が、非常に複雑になる。多くの批評家達は、無線電話デバイスが優れたハンドヘルド・パーソナル・デジタル・アシスタント（ＰＤＡ）デバイスになり得ないと述べ、また、彼らは、ハンドヘルドＰＤＡが優れた無線電話になり得ないと述べる。１０代の若者達のみが、友人および知人とのメッセージ交換をするために、Ｉｎｓｔａｎｔ  Ｍｅｓｓａｇｉｎｇ（ＩＭ）サービスまたはＳｈｏｒｔ  Ｍｅｓｓａｇｅ  Ｓｅｒｖｉｃｅｓ（ＳＭＳ）を使用し、そのようなユーザは、全く異なった無線移動体機器を得るべきであるとも述べられる。しかし、無線ハンドヘルドデバイスの多数のユーザは、単一のデバイスに多数のサービスおよび機能を有することを望む。
【０００３】
単一の無線移動体機器に対する複数のサービスおよび機能のユーザへの提供は、ユーザインターフェースの設計者、特に、グラフィックユーザインターフェース（ＧＵＩ）の設計者に対して、そのデバイスを制御するために、多数の挑戦を提示する。無線デバイスは、ノート型およびデスク型コンピュータのような持ち運びが難しいコンピュータデバイスと比較して一般的に小型である。従って本来的に、無線移動体機器の、ＬＣＤのようなビジュアルディスプレイまたは他のスクリーン構成要素は、小さなディスプレイ領域を有する。
【０００４】
一般的に、無線移動体機器のＧＵＩは、メインまたはホームスクリーン、および１つ以上の、メインスクリーンから導かれ得るサブスクリーンを備える。通知アイコンは、新しいイベントを示すために、メインスクリーンの一部にしばしば表示される。ここにおいて、新しいイベントとは、新しいＩＭメッセージの受取り、電子メール（ｅメール）受取り、または、カレンダーのリマインダもしくはアラーム、および時間、日付、電池寿命のような他の状態情報等の他のサービスイベントの受取りである。デバイスを介して利用可能なサービスまたは機能の各タイプにとって、グラフィックイメージまたはアイコンは、メインスクリーンの大部分にしばしば表示され、アイコンは、選択されるサービスまたは機能の特定のＧＵＩを始めるために、カーソルまたは他の手段を用いて選択され得る。
【０００５】
ユーザは、複数の類似したサービスを契約し得、単一の無線移動体機器を介してこれらのサービスを利用可能にし得る。例えば、ユーザは、ＡＯＬＴＭＩｎｓｔａｎｔ  Ｍｅｓｓｅｎｇｅｒ（ＡＩＭＴＭ）、ＩＣＱＴＭ、マイクロソフトネットワークＴＭ（ＭＳＮＴＭ），Ｙａｈｏｏ！ＴＭ  Ｍｅｓｓｅｎｇｅｒ、およびＱｕｉｃｋ  ＭｅｓｓａｇｉｎｇＴＭ等の１つ以上のＩｎｓｔａｎｔ  Ｍｅｓｓａｇｅタイプのサービスを契約し得る。代替的に、またはさらに、ユーザは、無線移動体機器に会社および個人のｅメールアカウントを連結し得る。ユーザが、新しいＩＭメッセージのような新しいイベントを通知される場合、そのユーザは、それぞれのアクティベーションアイコンを介して別々に各ＩＭサービスアプリケーションをチェックし、どのＩＭサービスがその新しいイベントに属するのかを決定することを要求される。各サービスをチェックすることは不便である。さらに、無線デバイスの制御の最適化のために、以前に情報をユーザに利用可能にした時よりも早く情報をユーザへ利用可能にするという要求がある。
【０００６】
従って、これらの不十分な点の１つ以上に取り組む方法および装置の必要性が結果として存在する。
【発明の開示】
【課題を解決するための手段】
【０００７】
本発明は、デバイスのディスプレイ上において、新しいイベントを通知し、プレビューイングするための方法、グラフィックユーザインターフェース、および装置に関する。
【０００８】
本発明の第１の局面に従い、それぞれのイベントを管理するための複数のアプリケーションを有するコンピュータデバイスのための方法が提供される。ここにおいて、アプリケーションの各１つは、デバイスのためのグラフィックユーザインターフェースのスクリーン上にアプリケーションアイコンによって示される。スクリーン上の新しいイベントをプレビューイングするための方法は、アプリケーションのうちの１つのアプリケーションの新しいイベントに応答して、新しいイベントを通知するために、アプリケーションのアイコンのうちの１つを視覚的に変更することを包含する。視覚的に変更されたアイコンに応答して、ユーザは、アプリケーションのうちの１つを呼び出し得る。
【０００９】
アプリケーションのうちの１つは、新しいイベントの発生を決定するために、アプリケーションのうちの１つをモニタし得る。さらに、第１の局面は、新しいイベントに応答して、アプリケーションのアイコンのうちの１つの視覚的な変更を決定することと、視覚的な変更をする際において、視覚的な変更を使用することを包含し得る。視覚的な変更を決定することは、アプリケーションのうちの１つに対する新しいイベントの総数を維持することを包含し得、アプリケーションのアイコンのうちの１つを視覚的に変更することは、新しいイベントの総数のプレビューを表示することを包含し得る。プレビューを表示することは、変更されたアイコンとのインターラクションのようなユーザアクションに応答しても良い。内容のプレビューを表示することが、スクリーンの一部上にダイアログボックスを表示することを含んでも良い。
【００１０】
一実施形態において、方法は、新しいイベントを通知するために視覚的に変更されたアイコンを有するアプリケーションのうちの１つのアプリケーションのアクティベーションに応答して、新しいイベントへアプリケーションのうちの１つを介して自動的にナビゲートすることを包含する。
【００１１】
一実施形態において、デバイスはデータ通信デバイスおよびボイス通信デバイスのうちの少なくとも１つを備え、複数のアプリケーションの少なくとも一部はデバイスに関する通信性能を管理する。そういうものとして、複数のアプリケーションの少なくとも一部のイベントは通信イベントを備える。例えば、デバイスは無線デバイスである得る。
【００１２】
第２の局面において、第１の局面の方法のうちのいずれか１つの方法に従い動作するように構成される、コンピュータデバイスが提供される。第３の局面において、メモリに格納され、第１の局面の方法のうちのいずれか１つの方法に従う方法ステップを動作するために、コントローラによって走るように構成されるコンピュータプログラムが提供される。
【００１３】
第４の局面において、それぞれのイベントを管理するために複数のアプリケーションを格納するメモリに結合されるコントローラを有するコンピュータデバイスにおける、アプリケーションのグラフィックユーザインターフェース（ＧＵＩ）が提供される。ＧＵＩは、コンピュータデバイス上に表示するためのメインスクリーンであって、スクリーンが複数のアイコンを備え、各アイコンが複数のアプリケーションのうちの１つに関連する、メインスクリーンと、アプリケーションの新しいイベントの発生を決定するための、少なくとも１つのモニタ構成要素と、新しいイベントを通知するためのアイコンのうちの１つに関する、アプリケーションの新しいイベントに応答して、メインスクリーン上における表示のためのアイコンのうちの１つを変更するための、少なくとも１つのアイコン変更構成要素とを備える。
【発明を実施するための最良の形態】
【００１４】
本発明の実施形態は、添付の図面への参照と共に、例示的なものとしてこれより記載される。
【００１５】
各イベントを管理するための、複数のアプリケーションを有するコンピュータデバイスの新しいイベントをプレビューイングする方法および装置が記載される。個々のアプリケーションは、デバイスのグラフィック・ユーザインターフェースのスクリーン上にあるアプリケーションアイコンによってそれぞれ表される。新しいイベントが生じた場合、特に、複数の同様のアプリケーションのうちの特定の１つに関する新しいイベントが生じた場合、本発明は、どのアプリケーションがそのイベントに関係するのかを示す便利な様式を提供する。アプリケーションの１つの新しいイベントに応答して、アプリケーションのアイコンは、その新しいイベントを通知するために視覚的に変更される。視覚的な変更は、例えば、イベントの内容をプレビューするために、新しいイベントに応答して決定され得る。視覚的な変更は、処理されずに残る全ての新しいイベントの数を含み得る。視覚的に変更されたアイコンの選択の際、追加的なプレビューイングが、提供され得る。視覚的に変更されたアプリケーションアイコンを有するアプリケーションのアクティベーションは、新しいイベントの際、そのアプリケーションを自動的に開始するように構成され得る。
【００１６】
図１は、ステーションとして表されている無線通信ネットワーク１０４を介して通信する移動局１０２を含む通信システム１００のブロック図である。移動局１０２は、ビジュアルディスプレイ１１２、キーボード１１４、および、場合によっては、それぞれが、コントローラ１０６に結合される、１つ以上の補助ユーザインターフェース（ＵＩ）１１６を好ましくは含む。コントローラ１０６はまた、無線周波数（ＲＦ）トランシーバ電気回路網１０８およびアンテナ１１０に結合される。
【００１７】
典型的に、コントローラ１０６は、メモリ構成要素（図示せず）に、オペレーティングシステムソフトウェアをランする中央演算処理ユニット（ＣＰＵ）として組み入れられる。コントローラ１０６は、通常、移動局１０２の全体的なオペレーションを制御する一方、通信機能に関する信号処理オペレーションは、ＲＦトランシーバ電気回路網１０８において行われる。コントローラ１０６は、受信された情報、格納された情報、ユーザ入力等を表示するために、デバイスディスプレイ１１２とインターフェースで接続される。電話タイプのキーパッドまたは完全（ｆｕｌｌ）英数字キーボードであり得るキーボード１１４は、移動局１０２の記憶装置のためのデータ入力、ネットワーク１０４への送信用の情報入力、電話をかけるための電話番号入力、移動局１０２において実行されるコマンド入力、および、場合によっては、他のユーザまたは異なったユーザの入力のために、通常、提供される。
【００１８】
移動局１０２は、アンテナ１１０を介して無線リンク上において、無線ネットワーク１０４へ通信信号を送信し、また、無線ネットワーク１０４から通信信号を受信する。ＲＦトランシーバ電気回路網１０８は、基地局の機能および基地局コントローラ（ＢＳＣ）（図示せず）の機能に類似する機能を実行する。ここにおいて、ＢＳＣは、例えば、変調器／復調器、ならびに場合によっては、符号器／復号器、および暗号器／解読器を含む。ＲＦトランシーバ電気回路網１０８が、ＢＳＣによって実行される機能に加え、特定の機能を実行し得ることもまた、考慮される。ＲＦトランシーバ電気回路網１０８の、移動局１０２が動作するであろうと思われる特定の無線ネットワークまたは複数の特定の無線ネットワークへの順応は、当業者にとって明確である。
【００１９】
移動局１０２は、１つ以上の再充電可能電池１３２を受取るための電池インターフェース（ＩＦ）１３４を含む。電池１３２は移動局１０２の電気回路へ電力を供給し、電池ＩＦ１３４は、電池１３２の機械的接続および電気的接続を提供する。電池ＩＦ１３４は、デバイスへの電力を調節する調節器１３６へ結合される。移動局１０２が完全に動作可能である場合、ＲＦトランシーバ電気回路網１０８のＲＦ送信器は、ネットワークへの送信中にのみ電源オンにされ、そうでない時は、電力を節約するために、電力オフまたは低電力モードにされる。同様に、ＲＦトランシーバ電気回路網１０８のＲＦ受信器は、設定された期間中において（信号または情報がある場合）信号または情報を受信する必要性があるまで、電力を節約するために、周期的に電源オフにされる。
【００２０】
移動局１０２は、Ｓｕｂｓｃｒｉｂｅｒ  Ｉｄｅｎｔｉｔｙ  Ｍｏｄｕｌｅ（ＳＩＭ）インターフェース（ＩＦ）１４２において移動局１０２に接続される、または挿入されるＳＩＭ１４０を用いて動作する。ＳＩＭ１４０は、多数ある中から、従来の「スマートカード」の１つのタイプである。ここにおいて、スマートカードとは、移動局１０２のエンドユーザ（または契約者）を識別するために用いられ、また、デバイスを個人化するために用いられる。ＳＩＭ１４０を備えずに、移動局ターミナルは、無線ネットワークを介する通信に対して完全には動作可能でない。ＳＩＭ１４０を移動局１０２に挿入することにより、エンドユーザは、任意の契約しているサービス、およびそれら全サービスにアクセス可能である。ＳＩＭ１４０は、通常、プロセッサ、および情報を格納するためのメモリを含む。ＳＩＭ１４０がＳＩＭ  ＩＦ１４２と結合しているため、ＳＩＭ１４０は、通信ライン１４４を介してコントローラ１０６と結合される。契約者を識別するために、ＳＩＭ１４０は、Ｉｎｔｅｒｎａｔｉｏｎａｌ  Ｍｏｂｉｌｅ  Ｓｕｂｓｃｒｉｂｅｒ  Ｉｄｅｎｔｉｔｙ（ＩＭＳＩ）のようないくつかのユーザパラメータを含む。ＳＩＭ１４０使用の有利な点は、エンドユーザが任意の単一の物理的な移動局に拘束される必要がないことである。ＳＩＭ１４０は、予定帳（またはカレンダー）情報および最近の電話情報を含む、移動局の追加的なユーザ情報をも格納し得る。
【００２１】
移動局１０２は、データ通信デバイスのような単一ユニット、データおよびボイス通信機能を有するマルチ機能通信デバイス、無線通信用のパーソナル・デジタル・アシスタント（ＰＤＡ）、または内部モデムを組み込むコンピュータにより構成され得る。代替的に、移動局１０２は、複数の別々の構成要素を備え、これに限定する意図はないが、無線モデムに接続されるコンピュータまたは他のデバイスを含む、複数モジュールユニットであり得る。特に、例えば、図１の移動局ブロック図において、ＲＦトランシーバ電気回路網１０８およびアンテナ１１０は、ノート型コンピュータのポートに挿入され得る無線モデムユニットとして実施され得る。この場合、ノート型コンピュータは、ディスプレイ１１２、キーボード１１４、１つ以上の補助ＵＩ１１６、および、コンピュータのＣＰＵとして組み入れられるコントローラ１０６を含む。通常は無線通信可能ではないコンピュータまたは他の装置が、ＲＦトランシーバ電気回路網１０８およびアンテナ１１０に接続されるように適合され得、上記のうちの１つのような単一ユニットデバイスのＲＦトランシーバ電気回路網１０８およびアンテナ１１０に対する制御を効果的に担うこともまた、考慮される。そのような移動局１０２は、図２の移動局２０２に関連して後述されるより特定的な実施を有し得る。
【００２２】
図２は、好ましい移動局２０２に詳細ブロック図である。好ましくは、移動局２０２は、双方向通信デバイスである。ここにおいて、双方向通信デバイスは、少なくともボイスおよび先進的なデータ通信機能を有し、他のコンピュータシステムと通信する機能を含む。移動局２０２によって提供される機能により、移動局２０２は、データメッセージデバイス、双方向ポケットベル、データメッセージ機能付き携帯電話、無線インターネット器具、または（電話通信機能付きまたはそれが付かない）データ通信デバイスとして示される。移動局２０２は、地理的な使用可能範囲内の複数の固定されたトランシーバステーション２００の任意の１つと通信し得る。
【００２３】
移動局２０２は、通常、通信サブシステム２１１を組み入れ、通信サブシステム２１１は、受信器、送信器、および関連構成要素を含む。ここにおいて、関連構成要素とは、（好ましくは組み込まれた、または内部にある）１つ以上のアンテナ要素と局部発振器（ＬＯ）、および、デジタル信号プロセッサ（ＤＳＰ）のような処理モジュール等である（全て、図示されない）。通信サブシステム２１１は、図１に示されるＲＦトランシーバ電気回路網１０８およびアンテナ１１０に類似する。通信における当業者に明確であるように、通信サブシステム２１１の特定の設計は、移動局２０２が動作するであろうと思われる通信ネットワークに依存する。
【００２４】
ネットワークアクセスは、移動局２０２の契約者またはユーザに関係し、従って、移動局２０２は、ネットワークにおいて動作するために、ＳＩＭ  ＩＦ２６４へＳｕｂｓｃｒｉｂｅｒ  Ｉｄｅｎｔｉｔｙ  Ｍｏｄｕｌｅまたは「ＳＩＭ」カード２６２を挿入することを必要とする。ＳＩＭ２６２は、図１に関連して記述されたそれらの機能を含む。移動局２０２は電池式デバイスであり、従って、１つ以上の再充電可能電池２５６を受取るための電池ＩＦ２５４を含む。そのような電池２５６は、移動局２０２にある電気回路網の、全てでなくても大部分へ電力を供給し、電池ＩＦ２５４は、電池２５６に機械的接続および電気的接続を提供する。電池ＩＦ２５４は、全電気回路網にＶ＋の電力を供給する調節器（図示せず）に結合される。
【００２５】
移動局２０２は、移動局２０２の全体的なオペレーションを制御する（図１のコントローラ１０６の一実施）マイクロプロセッサ２３８を含む。データおよびボイス通信を少なくとも含む通信機能は、通信サブシステム２１１を介して行われる。マイクロプロセッサはまた、ディスプレイ２２２、フラッシュメモリ２２４、ランダムアクセスメモリ（ＲＡＭ）２２６、補助入力／出力（Ｉ／Ｏ）サブシステム２２８、シリアルポート２３０、キーボード２３２、スピーカ２３４、マイクロフォン２３６、短距離通信サブシステム２４０、および全般的に２４２として示される任意の他のデバイスサブシステムのような追加的なデバイスシステムと相互作用する。図２に示される一部のサブシステムが、通信に関する機能を行う一方、他のサブシステムは、「常駐」またはオンデバイス機能を提供し得る。特に、キーボード２３２およびディスプレイ２２２のような一部のサブシステムは、例えば、通信ネットワーク上の送信のためのテキストメッセージの入力、および計算機またはタスクリスト等のデバイス常駐機能のような通信に関する両方の機能のために使用され得る。マイクロプロセッサ２３８によって使用されるオペレーティングシステムソフトウェアは、好ましくは、フラッシュメモリ２２４のような永続的な記憶装置において格納さる。ここにおいて、フラッシュメモリ２２４は、代替的に、読み取り専用メモリ（ＲＯＭ）または類似する記憶要素（図示せず）であり得る。当業者は、オペレーティングシステム、特定のデバイスのアプリケーション、または、その一部が、ＲＡＭ２２６のような揮発性記憶装置に一時的にロードされ得ることを理解するであろう。
【００２６】
マイクロプロセッサのオペレーティングシステム機能に加え、マイクロプロセッサ２３８は、好ましくは、移動局２０２において、ソフトウェアアプリケーションの実行を可能にする。データおよびボイス通信アプリケーションを少なくとも含み、基本的なデバイスオペレーションを制御するアプリケーションの所定のセットは、通常、製造中に移動局２０２にインストールされる。移動局２０２にロードされ得る好ましいアプリケーションは、ユーザに関するデータアイテムを整理し、管理することができる個人情報管理（ＰＩＭ）アプリケーションであり得る。ここにおいて、データアイテムとは、これらに限られはしないが、インスタントメッセージ（ＩＭ）、ｅメール、カレンダーイベント、ボイスメール、アポイントメント、およびタスクアイテム等である。勿論、１つ以上のメモリ記憶装置は、ＰＩＭデータアイテムおよび他の情報の格納を容易にするために、移動局２０２およびＳＩＭ２６２において利用可能である。
【００２７】
ＰＩＭアプリケーションは、好ましくは、無線ネットワークを介してデータアイテムを送受信することが可能である。好ましい実施形態において、ＰＩＭデータアイテムは、移動局のユーザの格納されたホストコンピュータシステムに対応するデータアイテム、および／またはホストコンピュータシステムに関する移動局のユーザのデータアイテムと、無線ネットワークを介して、絶え間なく統合され、同期され、および更新される。それによって、そのようなアイテムに対して、移動局２０２上においてミラーホストコンピュータを作成する。これは、ホストコンピュータシステムが移動局のユーザのオフィスコンピュータシステムである場合に特に好都合である。追加的なアプリケーションはまた、ネットワーク２００、補助Ｉ／Ｏサブシステム２２８、シリアルポート２３０、短距離通信サブシステム２４０、または任意の他の適切なサブシステム２４２を介して移動局２０２にロードされ得、マイクロプロセッサ２３８による実行のために、ＲＡＭ２２６または好ましくは不揮発性記憶装置（図示せず）にユーザによってインストールされる。アプリケーションインストレーションにおけるそのような融通性は、移動局２０２の機能を増加し、向上されたオンデバイス機能、通信に関する機能、またはそれらの両方を提供し得る。例えば、安全通信アプリケーションは、移動局２０２を用いて行われる電子商取引機能および他のそのような金融取引を可能にする。
【００２８】
データ通信モードにおいて、ダウンロードされたテキストメッセージ、ｅメールメッセージ、またはウェブページは、通信サブシステム２１１によって処理され、マイクロプロセッサ２３８にインプットされる。マイクロプロセッサ２３８は、好ましくは、ディスプレイ２２２への出力、補助Ｉ／Ｏデバイス２２８への出力、または、図３〜９への参照と共に本明細書においてさらに後述されるように、それら両方への出力のための信号をさらに処理する。移動局２０２のユーザはまた、例えば、ディスプレイ２２２および場合によっては、補助Ｉ／Ｏデバイス２２８と共にキーボート２３２を用いてｅメールメッセージのようなデータアイテムを作成し得る。キーボード２３２は、好ましくは、完全な英数字キーボードおよび／または電話タイプのキーパッドである。これらの作成されたアイテムは、通信サブシステム２１１を介して通信ネットワーク上において送信され得る。
【００２９】
ボイス通信において、移動局２０２の全体的なオペレーションは、実質的には同様であるが、受信された信号がスピーカ２３４へ出力される点、送信用の信号がマイクロフォン２３６によって生成される点において異なる。ボイスメッセージ記録サブシステムのような代替的なボイスまたは音声Ｉ／Ｏサブシステムもまた、移動局２０２において実施され得る。ボイスまたは音声信号出力が、好ましくは、スピーカを介して主として果たされるが、ディスプレイ２２２もまた、一部の例として、電話相手の識別の表示、ボイスコールの存続時間、または他のボイスコールに関する情報等を提供するために使用され得る。
【００３０】
図２においてシリアルポート２３０は、通常、ユーザのデスク型コンピュータとの同期が、所望ではあるが、任意的な構成要素であるパーソナルデジタルアシスタント（ＰＤＡ）タイプの通信デバイスにおいて実施される。シリアルポート２３０は、ユーザが外部的なデバイスまたはソフトウェアアプリケーションを介して好み（ｐｒｅｆｅｒｅｎｃｅ）を設定することを可能にし、無線通信ネットワークを介してよりもむしろ、移動局２０２にダウンロードされた情報またはソフトウェアを提供することによって移動局２０２の性能を広げる。代替的なダウンロードパスは、例えば、直接的な、従って確実で信頼性のある接続を介して移動局２０２へ暗号キーをロードするために用いられ得、それによって、安全なデバイス通信が提供される。
【００３１】
図２の短距離通信サブシステム２４０は、移動局２０２と、異なったシステムまたは類似したデバイスである必要性はないデバイスとの間の通信を提供する追加的であり、任意的な構成要素である。例えば、サブシステム２４０は、同様に動作可能なシステムおよびデバイスとの通信を提供するために、赤外線デバイスならびにそれに関連する電気回路および構成要素、または、ＢｌｕｅｔｏｏｔｈＴＭ通信を含み得る。ＢｌｕｅｔｏｏｔｈＴＭは、Ｂｌｕｅｔｏｏｔｈ  Ｓｉｇ，Ｉｎｃ．の登録商標である。
【００３２】
本発明の実施形態に従い、移動局２０２は、データアイテムの送受信をするように構成され、ユーザに関するデータアイテムの整理および管理するためのＰＩＭを含む。ここにおいて、データアイテムとは、これらに限られはしないが、インスタントメッセージ（ＩＭ）、ｅメール、カレンダーイベント、カレンダーアポイントメント、およびタスクアイテム等である。実施例として、移動局２０２は、ユーザが契約する３つのメッセージサービスおよび２つのｅメールサービスのために構成される。移動局２０２のオペレーションの制御に対してユーザーフレンドリーな環境を提供するために、オペレーションシステム、およびステーション２０２に常駐の様々なソフトウェアアプリケーションと共にＰＩＭは、メインスクリーン、およびそのメインスクリーンから導かれ得る複数のサブスクリーンを有するＧＵＩを提供する。
【００３３】
図３を参照すると、本発明の実施形態に従い、移動局２０２を制御するためのグラフィックユーザインターフェースを提供する、移動局２０２のデュスプレイ２２２の例示的なメインスクリーン３００の図が見られる。メインスクリーン３００は、アプリケーション部分３０１および移動局状態部分３０２の２つの主なる部分に分割される。ここにおいて、アプリケーション部分３０１は、移動局２０２によって動作可能な様々なソフトウェアアプリケーションおよび機能のために、アイコン（例えば、３０４〜３１２）を表示し、操作するための部分であり、移動局状態部分３０２は、時間、日付、電池、信号強度等の状態情報を表示するための部分である。図３は、それぞれ、ＩＭアプリケーションＩＭ１、ＩＭ２、およびＩＭ３のための３つのアイコン３０４、３０６、および３０８を示し、２つのそれぞれのｅメールサービスＥｍａｉｌ１、およびＥｍａｉｌ２のための２つのアイコン３１０および３１２を示す。各アイコンに関連付けられるものは、アイコン３０４に対するアプリケーションの名前（例えば、ＩＭ１）である。名前はまた、アプリケーション部分３０１に名前領域３１４においても示され得る。
【００３４】
メインスクリーン３００は、アプリケーション部分３０１において一度に全てのアプリケーションアイコンを示し得ない。ユーザは、追加的なアプリケーションアイコンを見るために、アイコンのアプリケーション部分３０１をナビゲートまたはスクロールすることを要求され得る。
【００３５】
単純化のために、各アイコンは円形で示されるが、当業者は、他のグラフィックが使用され得ることを理解するだろう。移動局２０２の例示的なメインスクリーンおよびＧＵＩにおいて、（キーボード２３２または他の補助Ｉ／Ｏデバイス２２８を操作することによって）特定のアイコン（例えば、３０４）がユーザによって選択される場合、またはユーザによってアクティブになる場合、アイコン３０４は、強調表示、シャドーイング等によって変更される。
【００３６】
本発明の一実施形態に従い、アイコン（例えば、３０４）は、メインスクリーン３００における変化を介してイベントの即時の通知を提供するために、アイコンに関連するアプリケーションからの新しいイベントに応答して、視覚的に変更され得る。通知は、後述されるように、ユーザの移動局２０２の制御をアシストするために、類似するサービスのアイコンからその通知されたアイコンを区別し得る。
【００３７】
図３のメインスクリーン３００の各アイコンは、初期状態にあり、新しいイベントが起こらず、ユーザによる注意を引いていないことを示す。図４は、新しいＩＭイベント（例えば新しいメッセージ）がＩＭアプリケーションの１つ、つまりアイコン３０６に関連するＩＭ２に届いた後のメインスクリーン３００の図である。この例示的な実施形態において、新しいＩＭメッセージは、新しい受信されたテキスト４００を示唆するバブル、および、新しいイベント（このケースにおいて、未読メッセージが新しいイベントである）の総数を示す数インジケータの「１」を含む視覚的な変更４００と共に示される。当業者は、バブルとは異なる視覚的な変更４００が使用され得、総数が、１つ以上のメッセージを受取ったが、未読のままであるそのようなメッセージの通信者の数または「友達（ｂｕｄｄｙ）」の数のような他の情報を示し得ることを理解されるであろう。未読メッセージ数を示すことに加え、このメカニズムは、関連するアプリケーションに適する追加的な状態情報のような他の新しいイベント情報に反映するために使用され得る。状態情報は、ユーザが現在、サインインしているか否か（およびそのユーザのユーザネーム）、接続の状態、および、ユーザの現状態（アウェイ対使用中）を含む。ｅメールアプリケーションにおいて、例えばアイコン３１０および３１２のうちの１つに関連し、総数は、未読ｅメールメッセージまたは独特な（ｄｉｓｔｉｎｃｔ）送信者からの未読ｅメールの数であり得る。同類の数が、それぞれのアプリケーションに対するＳＭＳメッセージ、アポイントメント、アラーム、または他のイベントを示し得る。
【００３８】
任意的に、総数は、各アプリケーションに対して、またはアプリケーションの出来事に対して構成可能であり得る。アプリケーションアイコン３０４において、独特な送信者からの未読ＩＭメッセージ数を識別し得、アプリケーションアイコン３０８に対して、独特な未読ＩＭメッセージ数を識別し得る。
【００３９】
図５は、ユーザアクションが後に続くＩＭアプリケーションアイコン３０６の図である。移動局２０２のユーザが、電話アイコン５０２を強調表示するために、アイコン３０４からアイコン３０６、３０８を介してメインスクリーンの焦点を移動する場合、視覚的な変更４００は、その視覚的な変更を維持し、ユーザにその未読メッセージを気付かせるために、アイコン３０６において存続する。好ましくは、ユーザが、アプリケーションを動作可能にし、その未読メッセージを読んだ時にのみ、視覚的な変更は、例えば、その総数を減らし、また、総数がゼロの場合、その変更は取り除かれる（適用可能な場合）。
【００４０】
図６は、未読メッセージを有するアプリケーションアイコン３０６が強調表示される場合のメインスクリーン３００の図である。アイコン３０６の選択の際の、アイコンの強調表示に加え、未読メッセージの少なくとも一部分のメッセージプレビュー６０４を備えるダイアログボックス６０２が示される。アイコン３０６がユーザによって焦点された後、ダイアログボックス６０４の開きは、しばらく遅延し得る。ユーザがアイコンの間をナビゲートする間、ダイアログボックスが素早く開かれる場合、ユーザが特定のアイコンの選択をナビゲートする前に、ナビゲーションは先取りされ得る。ダイアログボックス６０４は、名前領域３１４において開けられるが、当業者は、ダイアログボックス６０４を位置付けするために他の領域が選択され得ることを理解するであろう。実施例として、ダイアログボックス６０２におけるメッセージプレビュー６０４は、アプリケーションサービス（つまり、ＡＯＬ  Ｉｎｓｔａｎｔ  Ｍｅｓｓｅｎｇｅｒに対する「ＡＩＭ」）、メッセージを送った通信者（つまり、「ｒｅｄ９８」）、およびその未読メッセージの一部（つまり、「４時に会おう」）を示す。
【００４１】
図７は、視覚的な変更４００において示される２つの未読メッセージを有するＩＭアプリケーション３０６のダイアログボックス６０２を示す。ダイアログボックス６０２は、メッセージプレビュー６０４および７０４を含む。メインスクリーン３００の固有のサイズ、および当業者にとって明確な他の考察のため、そのような様式においてプレビューされ得る未読メッセージ数に対しての上限がある。この上限は、所定の範囲内においてユーザによって任意的に構成可能であり得、または、単純に、利用可能なスクリーンのスペース、フォント等に基いて最大サイズに構成され得る。
【００４２】
本発明の実施形態に従い、任意的に、ユーザは、メインスクリーン上のアプリケーションアイコンから直接、未読メッセージへ「ジャンプ」可能（つまり、自動的にナビゲート可能）であり得、それによって、関連するアプリケーションのためのＧＵＩをナビゲートする際に通常は既読メッセージへナビゲートされ得る如何なる介在スクリーンを削除する。例えば、強調表示されたアイコン３０６は、通常に動作可能になり得（例えば、キーボード２３２の「ｅｎｔｅｒ」を選択すること）、アプリケーションが（例えば、最も最近な、または最も古い）未読メッセージにおいて開始する。アプリケーションの初期のスクリーンまたは友達リストはスキップされ得る。「ジャンプ」する機会は、時間制限付きであり得、新しいイベントの発生直後から、例えば、約数秒から約３０秒等の短期間においてのみ操作可能であり得る。「ジャンプ」アクティベーションは、ユーザが未読メッセージを見る必要性を予期する。
【００４３】
図８は、移動局２０２のような移動局のメインスクリーン上においてイベントをプレビューイングするための他の実施形態の図である。この実施形態において、ＩＭアプリケーションアイコン３０４および３０６の各々に１つずつの合わせて２つの新しいイベントが、それぞれの視覚的な変更８０２および８０４を介して示される。視覚的な変更８０２は、イベント数（つまり、未読メッセージ数）、ならびに、その未読メッセージの送信者識別および未読メッセージの一部分を備える。同様ではあるが異なった変更８０４は、イベント数、およびＩＭ通信友達であるＴｏｍがサインオンしたことを示す状態プレビューを備える。当業者は、異なったイベントが、本発明に従い、メインスクリーン上において視覚化され得、これらのイベントが、関連するアプリケーションに依存し得ることを理解するであろう。しかしながら、選択は、選択的に構成可能であり得る。
【００４４】
図９Ａおよび９Ｂは、新しいイベントを示すためのアプリケーションアイコンの視覚的な変更のための、本発明に従う方法を表すフロー図である。図９Ａは、変更を決定するために新しいイベントを識別するためのオペレーション９００を示し、図９Ｂは、変更を表示するためのオペレーション９０１を示す。
【００４５】
オペレーション９００は、サービス、またはＩＭ、ｅメール等の他のアプリケーションのために動作可能であり得る。図示はされないが、（例えば、ＧＵＩの構成要素をモニタすることによって）モニタされるイベント、および、発生の際に（例えば、アイコン変更構成要素によって）視覚的に示されるイベントは、通知され、そしてプレビューされるイベントのタイプに従い予め決定される。例えば、ＩＭに従う使用に対するオペレーション９００にとって、総数が独特な未読メッセージを数えるのか、または独特な送信者を数えるのかは、予め決定される。
【００４６】
図９Ａの開始ブロック９０２において始まり、オペレーション９００は開始し、変更されるアプリケーションアイコンによって示されるアプリケーションが、新しいイベントのためにモニタされる（ステップ９０４）。当業者は、モニタすることが、部分的に、オペレーティングシステム、他のシステムサービス、および通信サブシステム２１１とマイクロプロセッサ２３８との間のインターフェースにより、多数の様態において実施され得ることを理解するだろう。モニタされる複数のアプリケーションのそれぞれは、それぞれの新しいイベントの発生を決定するための、それに捧げられたモニタ構成要素を有し得る。代替的に、単一のモニタ構成要素は、各アプリケーションをモニタし得る。モニタすることは、新しいイベントが決定されるまでステップ９０４を繰返し継続的または断続的に行い得る。
【００４７】
新しいイベントの際、ステップ９０６において、変化されるアイコンへの視覚的な変更は、アイコン変更構成要素によって決定される。カウンタは、（ある場合は）インクリメントされ、任意の視覚的な要素または重なるグラフィックが構成され得る。例えば、テキストは、図８の視覚的な変更８０２によって例証されるように、重なるように収得され得る。モニタされるイベントが、例えば、前回の未読メッセージの回数である場合、カウンタがデクリメントされ得る。
【００４８】
変更されるアイコンに関連して行われ得るユーザアクションは、セットアップされ得る。例えば、ダイアログボックスのテキストは、アイコンがユーザによってメインスクリーン上において強調表示される場合、使用のための視覚的な変更に関連し、前もって収得され得る。アイコンがアプリケーションを開始するために動作可能になされる場合、最も最近の未読メッセージへ即時、自動的ジャンプを容易にするためのデータもまた、必要であれば、視覚的な変更に関連し、前もって決定され得る。メッセージの送信者は識別され得、様々なユーザアクションのオプションがその送信者に対して用意される。例えば、電話、ｅメール、ＳＭＳ、または他の選択可能メッセージを可能にするアクションが、視覚的な変更を有するアイコンを強調表示し、ユーザへ提示され得る。
【００４９】
ステップ９０８において、視覚的な変更および任意の関連する適用可能なデータは、ＰＩＭ  ＧＵＩのメインスクリーンの維持部分に対して、または、オペレーション９０１への参照と共にさらに説明されるように、メインスクリーンを維持するのに責任がある他のアプリケーションに対して、識別される。通知は、変更および任意の関連するアクションデータを提供するためにメカニズムを共有するオブジェクトまたは他のデータをパスし得る。その後、モニタすることは、オペレーション９００のステップ９０４において継続する。モニタすることは、ステーション２０２の電力が入れられている限り、続き得る。
【００５０】
ステップ９１０に始まり、オペレーション９０１は、メインスクリーン維持を開始する。ステップ９１２において、オペレーションは、メインスクリーンがアクティブであることを決定するためにモニタする。はい（ｙｅｓ）の場合、オペレーションは、ユーザアクションに対し、または、アイコンの視覚的な変更の通知に対してモニタする（ステップ９１４）。そのような出来事の際、新しいスクリーンが、アイコンの視覚的な変更またはユーザアクションに反映して引き出される（ｄｒａｗ）（ステップ９１６、はいの分岐を介して）。例示的なユーザアクションは、アイコンを強調表示するために、または、そのアイコンに関するアプリケーションを動作するためにメインスクリーンのアイコンをわたり、焦点またはカーソルを移動することである。前回に視覚的な変更されたアイコンの強調表示は、上記されたように、メインスクリーンの引き出しを必要とし、ダイアログボックスディスプレイをさらに開始する。一度、ステップ９１６においてスクリーンが引き出されると、または、新しいアイコンまたはユーザアクティビティがステップ９１４において検出されない場合、オペレーション９０１はステップ９１２において繰返される。ステップ９１２において、例えば、ユーザが他のスクリーンへナビゲートされた故に、メインスクリーンがもうアクティブでない場合、オペレーション９０１は、メインスクリーンが再び動作可能になるまで（図示せず）（いいえの分岐を介して）中止され得る（ステップ９１８）。
【００５１】
オペレーション９００は、単一のアプリケーションのイベントをモニタする本発明の実施形態の方法局面を示す。当業者には理解されるように、移動局２０２は、複数のモニタ（各アプリケーションに対し１つのモニタ）を有するように構成され得、または、新しいイベントに対する全アプリケーションをモニタするように構成される単一のモニタを有するように構成され得る。代替的に、アプリケーションの各タイプが、アプリケーションタイプのそれぞれの出来事をモニタするためのモニタを有しても良い。例えば、単一のモニタは、上述の実施形態の３つのＩＭアプリケーションをモニタするように構成されても良く、他のモニタが、２つのｅメールアプリケーションのために構成され、さらに、他のモニタは、電話アプリケーションのために構成され得、以下省略。
【００５２】
オペレーション９１０が、新しい視覚的な変更の知らせを待機しているように示される一方、他の開始メカニズムが利用され得る。例えば、各アプリケーションまたは各アプリケーションのそれぞれのモニタは、新しい視覚的な変更をクエリーされる。
【００５３】
オペレーション９００および９０１は、新しいイベントへの参照と共に記載されるが、当業者は、変更が、新しいイベントのプレビューを期限切れにし、デフォルト、またはアプリケーションの他のアイコンを表示するために、その新しいイベントに組み入れられ得ることを理解するだろう。例えば、図８への参照と共に、アイコン８０４は、状態イベントプレビュー、つまりＲｅｄ９８のサインオンを示す。このプレビューは、所定の期間後において自動的に期限が切れ得る。スタンダードアイコンまたはデフォルトアイコンは、プレビューアイコンを置換するために使用され得る。代替的に、変更されたプレビューアイコンは、新しいイベントの総数を示すアイコンのようなアイコンとして用いられ得る。同様に、後述の新しいイベントの発生の際においても、一部の新しいイベントプレビュー情報を存続させることが望まれ得る。例えば、関連するアプリケーションの状態に関する新しいイベント情報（例えば、サインイン／アウト状態、使用状況等の）が、新しいイベントの発生の際においても、および新しいイベントがプレビューされる際においても、存続され得る。
【００５４】
本出願の上記の実施形態は、実施例のみを意図とする。当業者は、本出願の範囲から逸脱することなく、特定の実施形態に対して変更、修正、および変種をもたらし得る。特許請求の範囲において記載される発明は、当該技術における全ての適切な変化を網羅し、包含するように意図される。
【図面の簡単な説明】
【００５５】
【図１】従来技術に従い、無線通信ネットワーク内において通信する無線通信デバイスに関連する構成要素を示すブロック図である。
【図２】従来技術に従い、図１の好ましい無線通信デバイスのより詳細な図である。
【図３】本発明に従い、図１および２のデバイスのような無線通信デバイスのための例示的なメインスクリーンの図である。
【図４】新しいイベントの後の図３のメインスクリーンの図である。
【図５】ユーザアクションに続く、図４のメインスクリーンの図である。
【図６】ユーザが新しいイベントのアプリケーションアイコンを選択する場合のＩＭアプリケーションアイコンへの変化の図である。
【図７】１つのアプリケーション内における複数の新しいイベントの図である。
【図８】メインスクリーン上においての新しいイベントのプレビューイングのための更なる実施形態の図である。
【図９】図９Ａおよび９Ｂは、本発明に従う方法を説明するフロー図である。
【図１】
2007512635.tif 000003
【図２】
2007512635.tif 000004
【図３】
2007512635.tif 000005
【図４】
2007512635.tif 000006
【図５】
2007512635.tif 000007
【図６】
2007512635.tif 000008
【図７】
2007512635.tif 000009
【図８】
2007512635.tif 000010
【図９】
2007512635.tif 000011
【手続補正書】
【提出日】平成18年5月31日(2006.5.31)
【手続補正１】
【補正対象書類名】特許請求の範囲
【補正対象項目名】全文
【補正方法】変更
【補正の内容】
【特許請求の範囲】
【請求項１】
コンピュータデバイス（１０２、２０２）上の新しいイベントの通知を提供すための方法であって、該コンピュータデバイスが、該コンピュータデバイス（１０２、２０２）のディスプレイ（１１２、２２２）上に表示されるグラフィックユーザインターフェース（ＧＵＩ）を有し、該ＧＵＩが、該コンピュータデバイス（１０２、２０２）上の実行のためのそれぞれのアプリケーションまたは機能のアイコンを表示するためのアプリケーション部分（３０１）を備えるメインスクリーン（３００）を有し、該方法は、
該コンピュータデバイス（１０２、２０２）上のそれぞれのイベントを管理するために、それぞれがアプリケーションを示す複数のアプリケーションアイコン（３０４、３０６、３０８、３１０、３１２）を、該アプリケーション部分（３０１）に提供することと、
該アプリケーションのうちの１つのアプリケーションに対する新しいイベントに応答して、該新しいイベントを通知するために、該メインスクリーン（３００）の該アプリケーション部分（３０１）の該それぞれのアプリケーションアイコンを視覚的に変更すること
を包含し、
該アプリケーションアイコン（３０４、３０６、３０８、３１０、３１２）が、新しいイベント間において、該アプリケーション部分（３０１）において維持される、
方法。
【請求項２】
前記視覚的に変更されたアイコンに応答して、前記アプリケーション部分（３０１）の前記の１つのアプリケーションを呼び出すことを包含する、請求項１に記載の方法。
【請求項３】
前記新しいイベントの発生を決定するために、前記アプリケーション部分（３０１）の前記の１つのアプリケーションをモニタすることを包含する、請求項１または請求項２に記載の方法。
【請求項４】
前記新しいイベントに応答して、前記アプリケーション部分（３０１）の前記１つのアプリケーションアイコンの前記アイコンの視覚的な変更を決定することと、
視覚的な変更をする際において、該視覚的な変更を使用すること
を包含する、請求項１から請求項３のうちのいずれか１つに記載の方法。
【請求項５】
前記視覚的な変更を決定することが、前記アプリケーション部分（３０１）の前記１つのアプリケーションの新しいイベントの総数を維持することを包含する、請求項４に記載の方法。
【請求項６】
前記アプリケーション部分（３０１）の前記１つのアプリケーションのアイコンを前記視覚的に変更することが、前記新しいイベントの総数のプレビューを表示することを包含する、請求項１から請求項５のうちのいずれか１つに記載の方法。
【請求項７】
プレビューを表示する行為がユーザアクションに応答する、請求項６に記載の方法。
【請求項８】
内容のプレビューを前記表示することが、前記スクリーンの一部上にダイアログボックスを表示することを包含する、請求項７に記載の方法。
【請求項９】
前記新しいイベントを通知するために視覚的に変更されたアイコンを有する前記アプリケーション部分（３０１）の前記１つのアプリケーションのアクティベーションに応答して、該新しいイベントへ該１つのアプリケーションを介して自動的にナビゲートすることを包含する、請求項１から請求項８のうちのいずれか１つに記載の方法。
【請求項１０】
前記デバイスが、データ通信デバイスおよびボイス通信デバイスのうちの少なくとも１つを備え、前記複数のアプリケーションの少なくとも一部が該デバイスに関する通信性能を管理し、該複数のアプリケーションの該少なくとも一部の前記イベントが通信イベントを備える、請求項１から請求項９のうちのいずれか１つに記載の方法。
【請求項１１】
前記デバイスが無線デバイスを備える、請求項１０に記載の方法。
【請求項１２】
複数の新しいイベントに応答して、該複数の新しいイベントを通知するために、前記アプリケーション部分（３０１）の前記１つのアプリケーションの前記アイコンを視覚的に変更することを包含する、請求項１から請求項１１のうちのいずれか１つに記載の方法。
【請求項１３】
前記アプリケーション部分（３０１）の前記１つのアプリケーションの前記アイコンを視覚的に変更することが、前記複数の新しいイベントの各新しいイベントの内容のプレビューを表示することを含む、請求項１２に記載の方法。
【請求項１４】
請求項１から請求項１３に記載の方法のうちのいずれか１つの方法に従い動作するように構成される、コンピュータデバイス。
【請求項１５】
メモリに格納され、請求項１から請求項１３に記載の方法のうちのいずれか１つの方法に従う前記方法ステップを動作するために、コントローラによって走るように構成される、コンピュータプログラム。
【請求項１６】
メモリに結合されるコントローラを有するコンピュータデバイスのためのグラフィックユーザインターフェース（ＧＵＩ）であって、該メモリがそれぞれのイベントを管理するために、複数のアプリケーションを格納し、該グラフィックユーザインターフェース（ＧＵＩ）は、該アプリケーションのために提供され、ディスプレイ（１１２、２２２）上に表示され、該ＧＵＩは、
該コンピュータデバイス上に表示するためのメインスクリーン（３００）であって、該メインスクリーン（３００）が、該複数のアプリケーションのそれぞれのアプリケーションまたは機能に関する複数のアプリケーションアイコン（３０４、３０６、３０８、３１０、３１２）を表示するためのアプリケーション部分（３０１）を備える、メインスクリーン（３００）と、
該アプリケーションの新しいイベントの発生を決定するための、少なくとも１つのモニタ構成要素と、
該新しいイベントを通知するために、該アプリケーションのうちの少なくとも１つに対する新しいイベントに応答して、該メインスクリーン（３００）の該アプリケーション部分（３０１）の該アイコン（３０４、３０６、３０８、３１０、３１２）のうちの少なくとも１つを視覚的に変更するための少なくとも１つのアイコン変更構成要素と
を備え、
該アプリケーションアイコン（３０４、３０６、３０８、３１０、３１２）が、新しいイベント間において、該アプリケーション部分（３０１）において維持される、
グラフィックユーザインターフェース（ＧＵＩ）。
【請求項１７】
前記ＧＵＩがそれぞれのアプリケーションの新しいイベントの総数を維持するように構成され、前記アイコン変更構成要素が該総数に応答して変更するように構成される、請求項１６に記載のＧＵＩ。
【請求項１８】
前記アイコン変更構成要素が前記新しいイベントの内容のプレビューを表示するように構成される、請求項１６または請求項１７に記載のＧＵＩ。
【請求項１９】
前記アイコン変更構成要素が、前記アプリケーション部分（３０１）の前記アイコンのうちの前記１つとのユーザインターラクションに応答して、プレビューを表示するように構成される、請求項１８に記載のＧＵＩ。
【請求項２０】
プレビューの前記表示が、前記スクリーンの一部上にダイアログボックスを表示することを備える、請求項１９に記載のＧＵＩ。
【請求項２１】
前記アプリケーション部分（３０１）の前記アイコンのうちの前記１つとのユーザインターラクションに応答して、前記ＧＵＩが、前記新しいイベントを表示するために、該アイコンのうちの該１つに関する前記アプリケーションを呼び出すように構成される、請求項１６から請求項２０のうちのいずれか１つに記載のＧＵＩ。
【請求項２２】
前記コンピュータデバイスが、無線データ通信デバイスおよび無線ボイス通信デバイスのうちの少なくとも１つを備え、前記複数のアプリケーションの少なくとも一部が該コンピュータデバイスに関する通信性能を管理するように構成され、該複数のアプリケーションの該少なくとも一部の前記新しいイベントが通信イベントを備える、請求項１６から請求項２１のうちのいずれか１つに記載のＧＵＩ。
【請求項２３】
前記アイコン変更変更要素が、複数の新しいイベントを通知するために、前記アプリケーション部分（３０１）の前記アイコンのうちの前記１つを変更するように構成される、請求項１６から請求項２２のうちのいずれか１つに記載のＧＵＩ。
【請求項２４】
前記アイコン変更構成要素が、前記複数の新しいイベントの各新しいイベントの内容のプレビューを再生するように構成される、請求項２３に記載のＧＵＩ。
【国際調査報告】
2007512635.tif 000012
2007512635.tif 000013
2007512635.tif 000014